(57)【要約】  主受信装置から２次受信装置に対して広告コンテンツを共有する方法及びシステム。方法は、送信センタからの少なくとも１つの広告トピックを含む送信コンテンツをユーザ識別に関連づけられた主受信装置上で受信するステップと、２次受信装置と広告コンテンツを共有するために広告トピックを選択するステップと、前記広告トピックに関する識別子を検索するステップと、２次装置に対応する１つの送信先アドレスを選択するステップと、管理センタに対して、少なくとも広告識別子と送信先アドレスとユーザ識別とを備える通知を送信するステップと、少なくとも広告識別子及び送信先アドレスを、管理センタのデータベースにおいて、ユーザ識別に対応するユーザ記録内に格納するステップと、広告識別子に対応する広告コンテンツを検索するステップと、前記送信先アドレスに対応する前記２次装置に対して前記広告コンテンツをプッシュするステップとを備える。【選択図】図１
2018501691.tif 000002
【特許請求の範囲】
【請求項１】
主受信装置から２次受信装置に対して広告コンテンツを共有する方法であって、
・送信センタからの少なくとも１つの広告トピックを含む現在送信されているコンテンツをユーザ識別に関連づけられた前記主受信装置上で受信するステップと、
・広告コンテンツを前記２次受信装置と共有するために前記広告トピックを選択するステップと、
・前記広告トピックに関する識別子を検索するステップと、
・２次装置に対応する１つの送信先アドレスを選択するステップと、
・管理センタに対して、少なくとも前記広告識別子と前記送信先アドレスとユーザ識別とを備える通知を送信するステップと、
・少なくとも前記広告識別子及び前記送信先アドレスを、管理センタのデータベースにおいて、前記ユーザ識別に対応するユーザ記録内に格納するステップと、
・前記広告識別子に対応する広告コンテンツを検索するステップと、
・前記送信先アドレスに対応する前記２次装置に対して広告コンテンツをプッシュするステップと、
を備える方法。
【請求項２】
前記広告トピックは、メタデータを備える現在送信されているコンテンツであり、前記メタデータは、少なくとも広告識別子を備え、前記広告識別子は、広告コンテンツを前記２次受信装置と共有するために選択される請求項１に記載の方法。
【請求項３】
前記広告トピックは、メタデータを備える前記送信されたコンテンツの１つであり、前記メタデータは、広告記述子及び広告識別子を含む広告記録を備え、前記方法は、
・前記送信されたコンテンツに関連する広告記述子及び広告識別子のリストを検索するステップと、
・前記主受信装置上に前記広告記述子のリストを表示するステップと、
・広告コンテンツを前記２次受信装置と共有するために１つの広告記述子及びそれに対応する広告識別子を選択するステップと、
を含む請求項１に記載の方法。
【請求項４】
前記広告識別子は、チャンネル識別と、広告トピックを備える前記現在送信されているコンテンツの送信時刻とを取得することによって検索される請求項１に記載の方法。
【請求項５】
前記広告トピックは、前記現在送信されているコンテンツの一部であり、前記方法は、
・前記主受信装置によって、前記現在送信されているコンテンツの一部分から広告トピックを選択するリクエストを受信するステップと、
・前記管理センタに対して、前記現在送信されているコンテンツの前記一部分から１つのオブジェクトを検索することを可能にする情報を送信するステップと、
・前記管理センタによって、前記現在送信されているコンテンツの前記一部分から、少なくとも１つの広告トピックを決定するステップと、
・前記決定された広告トピックに対応する少なくとも１つの広告記録を検索するステップであって、前記広告記録は少なくとも広告記述子と広告識別子とを備えるステップと、
・前記主受信装置に対して前記少なくとも１つの広告記録を送信するステップと、
・前記少なくとも１つの記録から少なくとも１つの広告記述子を選択するステップと、
・前記広告トピックに関連する前記広告識別子を検索するステップであって、前記広告識別子は、広告コンテンツを前記２次受信装置と共有するために選択されるステップと、
を備える請求項１に記載の方法。
【請求項６】
前記広告トピックは、主音声／主映像の番組の一部であり、前記方法は、
・前記主音声／主映像の番組から広告トピックを選択するために前記主受信装置からリクエストを受信するステップと、
・少なくとも１つの広告トピックを決定するために送信された前記主音声／主映像の番組を分析するステップと、
・前記広告トピックに対応する広告識別子を検索するステップと、
・広告コンテンツを前記２次受信装置と共有するために前記広告識別子を用いるステップと、
を備える請求項１に記載の方法。
【請求項７】
前記送信された主音声／主映像の番組を分析するステップは、
・前記送信された主音声／主映像の番組の少なくとも１つのイメージから１つのオブジェクトの少なくとも１つのスナップショットを抽出するステップであって、前記スナップショットは前記広告トピックを表現するステップと、
・前記管理センタに対して前記スナップショットを送信するステップと、
・前記管理サーバによって、前記スナップショットに対応する広告識別子を前記スナップショットから決定するステップと、
・前記検索された広告識別子を前記主受信装置に対して送信するステップと、
を備える請求項６に記載の方法。
【請求項８】
前記送信された主音声／主映像の番組を分析するステップは、
・前記送信された主音声／主映像の番組の少なくとも１つのイメージを抽出するステップと、
・前記管理センタに対して前記イメージを送信するステップと、
・前記送信された主音声／主映像の番組のうちの少なくとも１つのイメージから１つのオブジェクトの少なくとも１つのスナップショットを抽出するステップと、
・前記スナップショットから前記スナップショットに対応する広告識別子を決定するステップと、
・前記検索された前記広告識別子を前記主受信装置に対して送信するステップと、
を備える請求項６に記載の方法。
【請求項９】
前記イメージは、複数のスナップショットを含み、
前記方法は、
・前記管理センタによって、前記送信されたイメージから複数のオブジェクトの複数のスナップショットを抽出するステップと、
・各スナップショットに対して１つのオブジェクトを識別するステップであって、各オブジェクトは、広告記述子と広告識別子とを備える広告記録を有するステップと、
・前記複数のスナップショットに対応する広告記録のリストを準備するステップと、
・主受信装置に対して前記リストを送信するステップと、
・前記主受信装置において前記広告記述子のリストを表示するステップと、
・前記主受信装置において、少なくとも１つの広告記述子を選択し、広告コンテンツを前記２次受信装置と共有するためにその対応する広告識別子を用いるステップと、
を備える請求項８に記載の方法。
【請求項１０】
前記２次装置が前記受信された広告コンテンツを処理した場合に、前記管理センタは通知を受信し、前記肯定応答は、前記管理センタの前記データベースにおいて、前記ユーザ識別に対応する前記ユーザ記録内に記録される請求項１〜９のいずれか１項に記載の方法。
【請求項１１】
前記２次装置に対して前記広告コンテンツをプッシュするステップは、前記２次装置に向けた放送ストリームの中に前記広告コンテンツを挿入するステップを備える請求項１〜１０のいずれか１項に記載の方法。
【請求項１２】
前記２次装置に対して前記広告コンテンツをプッシュするステップは、ポイントツーポイント通信チャネルを介して前記広告コンテンツを送信するステップを備える請求項１〜１０のいずれか１項に記載の方法。
【請求項１３】
選択された広告をユーザ向けに共有するために最適化されたシステムであって、前記システムは、送信センタ（ＴｒＣｎｔ）とデータベースを有する管理センタ（ＭｎｇＣｎｔ）とユーザ識別に関連づけられた少なくとも１つの主受信装置（Ｍｄｅｖ）とを備え、
前記主受信装置（ＭＤｅｖ）は、
・前記送信センタ（ＴｒＣｎｔ）から少なくとも１つの広告トピックを含む現在送信されているコンテンツを受信し、
・広告コンテンツを前記２次受信装置と共有するために前記広告トピックを選択し、
・前記広告トピックに関する広告識別子を検索し、
・前記２次受信装置（ＳＤｅｖ）に対応する１つの送信先アドレスを選択し、
・前記管理センタ（ＭｎｇＣｎｔ）に対して、少なくとも前記広告識別子と前記送信先アドレスと前記ユーザ識別通知とを備える通知を送信するように構成され、
前記管理センタ（ＭｎｇＣｎｔ）又は前記送信センタ（ＴｒＣｎｔ）は、
・前記主受信装置（ＭＤｅｖ）から前記通知を受信し、
・少なくとも前記広告識別子及び前記送信先アドレスを、そのデータベースのユーザ識別に対応するユーザ記録内に格納し、
・前記広告識別子に対応する広告コンテンツを検索し、
・前記送信先アドレスに対応する前記２次装置（ＳＤｅｖ）に対して前記広告コンテンツをプッシュするように構成される
システム。
【請求項１４】
前記管理センタ（ＭｎｇＣｎｔ）は、
・前記主受信装置（ＭＤｅｖ）から前記通知を受信し、
・少なくとも前記広告識別子及び前記送信先アドレスを、そのデータベースのユーザ識別に対応するユーザ記録内に格納し、
・前記広告識別子と前記送信先アドレスとを備える前記送信センタ（ＴｒＣｎｔ）に対して管理通知を送信するように構成され、
前記送信センタ（ＴｒＣｎｔ）は、
・前記広告識別子に対応する広告コンテンツを検索し、
・前記送信先アドレスに対応する前記２次装置（ＳＤｅｖ）に対して前記広告コンテンツをプッシュするように構成される、
請求項１３に記載のシステム。
【請求項１５】
前記送信されたコンテンツは、前記広告識別子を含むメタデータを備え、前記主受信装置（ＭＤｅｖ）は、前記送信されたコンテンツの前記メタデータから前記広告識別子を抽出するように構成される請求項１３又は１４に記載のシステム。
【請求項１６】
前記送信されたコンテンツは、複数の広告記録を備えるメタデータを備え、各広告記録は、広告識別子と広告記述子とを備え、
前記主受信装置は、
・前記メタデータから前記広告記録を収集し、
・前記広告記録内に含まれる前記広告記述子のリストを表示し、
・前記広告コンテンツを前記２次受信装置と共有するために少なくとも１つの広告記述子及びその対応する広告識別子を選択するように構成される、
請求項１３又は１４に記載のシステム。
【請求項１７】
主受信装置（ＭＤｅｖ）は、バッファを備え、前記バッファは、前記以前に送信された広告記録を格納するように構成される請求項１６に記載のシステム。
【請求項１８】
前記主受信装置（ＭＤｅｖ）は、
・少なくとも１つの広告トピックを備える前記現在送信されているコンテンツの一部分を抽出し、
・前記管理センタに対して前記抽出された一部分のすべて若しくは一部を送信するように構成され、
前記管理センタは、
・前記抽出された一部分から、前記広告トピックに対応する少なくとも１つの広告識別子を決定し、
・前記主受信装置に対して、前記検索された広告識別子を送信するように構成される、
請求項１３又は１４に記載のシステム。
【請求項１９】
選択された広告を２次装置（ＳＤｅｖ）と共有するために最適化された主装置（ＭＤｅｖ）であって、前記主装置は、送信センタ（ＴｒＣｎｔ）から現在送信されているコンテンツを受信し、管理センタ（ＭｎｇＣｎｔ）との接続手段を有し、
前記主受信装置（ＭＤｅｖ）は、
・前記送信センタ（ＴｒＣｎｔ）から少なくとも１つの広告トピックを含む送信されたコンテンツを受信し、
・前記少なくとも１つの広告トピックを備える前記現在送信されているコンテンツの一部分を抽出し、
・前記管理センタに対して前記抽出された一部分のすべて又は一部を送信し、
・前記管理センタから、前記現在送信されているコンテンツの前記一部分に対応する少なくとも１つの広告識別子を受信し、
・広告コンテンツを前記２次受信装置と共有するために前記広告トピックに対応する少なくとも１つの広告識別子を選択し、
・前記２次受信装置（ＳＤｅｖ）に対応する１つの送信先アドレスを選択し、
・少なくとも前記広告識別子と前記送信先アドレスと前記ユーザ識別とを備える通知であって、前記広告識別子によって識別された広告コンテンツの前記２次装置に対する送信を作動させる前記通知を、前記管理センタ（ＭｎｇＣｎｔ）に対して送信するように構成される、
主装置。
【請求項２０】
・前記現在送信されているコンテンツの前記一部分からイメージを抽出し、
・前記イメージから前記広告トピックを表現するオブジェクトを備えるスナップショットの選択を受信し、
・前記広告トピックに対応する１つの広告識別子を検索するために前記管理に対して前記スナップショットを送信し、
・前記少なくとも１つの広告識別子であって、前記管理センタに対して送信された前記通知において用いられる前記広告識別子を、前記管理センタから受信する
ように更に構成される請求項１９に記載の主装置。
【発明の詳細な説明】
【技術分野】
【０００１】
本発明は、主装置から２次装置に対して広告コンテンツを共有する（share）ための可能性を提供することを目的とする。
【背景技術】
【０００２】
広告の配信は、よく知られており、ユーザのプロフィール及び習慣に応じて対象とする広告を放送するために様々な解決手段が提案されている。第１の解決手段は、特許文献１に記載されており、広告ストリームは、放送ストリームと同時に伝達される。ユーザプロフィールに基づいて、受信器は、複数の広告から１つの広告を選択する。
【０００３】
特許文献２に記載のものなどの他の解決手段は、オンラインユーザのログインタイムの記録、並びに広告主及びローカルユーザのプロフィールによって設定された配信要求に従った広告リストの準備に基づくものである。
【先行技術文献】
【特許文献】
【０００４】
【特許文献１】米国特許第７７８８６８号明細書
【特許文献２】国際公開第２００２／５９８２０号パンフレット
【発明の概要】
【発明が解決しようとする課題】
【０００５】
従って、対象とするユーザの関心を捕らえる最高のチャンスを有する広告を配信しようとすることは、広告主にとって共通の目的である。
【課題を解決するための手段】
【０００６】
本発明の実施形態によれば、主受信装置から２次受信装置に対して広告コンテンツを共有する方法が記載され、方法は、
・送信センタからの少なくとも１つの広告トピックを含む送信されたコンテンツをユーザ識別（ＩＤ）に関連づけられた主受信装置上で受信するステップと、
・再配送のために広告トピックを選択するステップと、
・前記広告トピックに関する識別子を検索するステップと、
・２次装置に対応する１つの送信先アドレスを選択するステップと、
・管理センタに対して、少なくとも広告識別子と送信先アドレスとユーザ識別とを備える通知を送信するステップと、
・少なくとも広告識別子及び送信先アドレスを、管理センタのデータベースにおいて、ユーザ識別に対応するユーザ記録内に格納するステップと、
・広告識別子に対応する広告コンテンツを検索するステップと、
・送信先アドレスに対応する２次装置に対して広告コンテンツをプッシュするステップと
を備える方法である。
【０００７】
同様に、送信センタと、データベースを有する管理センタと、ユーザ識別に関連づけられた少なくとも１つの主受信装置と、を備える広告コンテンツの共有を担当するシステムが提案されており、
前記主受信装置は、
・送信センタから少なくとも１つの広告トピックを含む送信されたコンテンツを受信し、
・再配送のために広告トピックを選択し、
・前記広告トピックに関する広告識別子を検索し、
・２次受信装置に対応する１つの送信先アドレスを選択し、
・管理センタに対して、少なくとも広告識別子と送信先アドレスとユーザ識別とを備える通知を送信するように構成され、
管理センタは、
・主受信装置から通知を受信し、
・少なくとも広告識別子及び送信先アドレスを、そのデータベースのユーザ識別に対応するユーザ記録内に格納し、
・広告識別子に対応する広告コンテンツを検索し、
・送信先アドレスに対応する２次装置に対して広告コンテンツをプッシュするように構成されるシステムである。
【発明の効果】
【０００８】
この方法及びシステムの１つの効果は、広告コンテンツの選択が対象とするユーザの関係者（例えば友人）によって行なわれるということである。このような広告が信頼できる人（あなたの友人）によって推奨され、主題があなたの興味の中心に沿うはずであるので、従って、このような広告に対する注目度は非常に高い。
【０００９】
本発明は、以下の添付の図面によって一層良く理解されることになる。
【図面の簡単な説明】
【００１０】
【図１】送信センタ、主装置、２次装置及び管理センタを有する本発明のシステムを示す。
【図２】交互に配置されたメインコンテンツ及び広告コンテンツを有する送信されたコンテンツを示す。
【図３】本発明の１つの実施形態のフローチャートを図示する。
【発明を実施するための形態】
【００１１】
送信センタＴｒＣｎｔは、主受信装置ＭＤｅｖに対して映像コンテンツを送信することができるセンタとして理解される。送信は、従来の放送、ＩＰ経由の放送（broadcast over IP）、マルチキャスト、ユニキャスト（例えばビデオオンデマンド用）、ポイントツーポイント（point-to-point）とすることができる。前記のように、送信は、１対多数とすることができる、即ち、多くの受信装置が同じコンテンツを受信するか、又は、主装置（例えばビデオオンデマンド）の単独の利用に対してコンテンツを準備して送信することができる。すべての実施形態の共通機能は、以下の通りである。
・ユーザは、その主受信装置上で、送信されたコンテンツを受信し、
・第２の受信装置及び送信先アドレスを有する、別の人と広告を共有するために、ユーザによって動作が講じられ、
・広告トピックは、ユーザによって決定され、
・広告識別子は、広告トピックとの関係で主受信装置によって決定され、
・通知は、その識別（ＩＤ）、広告識別子、及び送信先アドレスを備える主受信装置によって管理センタに対して送信され、
・記録は、この動作の記録を取るために管理センタにおいて更新され、
・管理センタは、その後、広告識別子に対応する広告コンテンツを検索し、送信先アドレスによって識別されるような第２の受信装置に対して広告コンテンツをプッシュする。
【００１２】
まず、送信センタ及び管理センタを、同じ主体とすることができる、又は２つの別の主体とすることができる、ということに留意するべきである。第２の例は、２次装置に対して広告コンテンツをプッシュする動作を以下の例によって行うことである。
・送信センタの１つの機能は、２次装置に対して広告コンテンツを送信することである。そのために、管理センタは、主装置から通知を受信した後、送信センタに対して広告識別子及び２次装置アドレスを含む管理通知を送信する。広告識別子に対応する広告コンテンツは、送信センタによって検索され、２次装置に向けたストリームの中に導入される。
・管理センタの１つの機能は、２次装置に対して広告コンテンツをプッシュすることである。そのために、２次装置は、送信センタ及び管理センタからコンテンツを受信することができる。接続の性質は、異なる場合があり、例えば、送信センタは放送ビデオコンテンツを送信し、管理センタは、２次装置とのポイントツーポイント（例えばＩＰ）接続を有する。後者は、向上させた表示を取得するために双方のソースからのコンテンツをマージすることができる。
【００１３】
以下の例は、上記で提案された２つの解決手段に従って実施されることができる。これ以降の記載において、我々は、主装置から通知を受信して２次装置に対して直接的にコンテンツをプッシュすることができる管理センタによる解決手段を考慮することになる。但し、送信センタを暗示する他の実施形態は、等しく本記載の一部である。
【００１４】
図３は、個別の主体間の様々なやりとりを図示する。主装置ＭＤｅｖのユーザによって行なわれる１つの動作は、広告トピックの選択である。広告トピックは、メインユーザが自身の友人に気付いて欲しい主題である。それは、現在送信されている広告コンテンツ、又は、現在送信されているものに関する広告コンテンツ（例えば、広告が特定のモデル向けに送信されており、自分はこの製造業者の別の製品の広告をパスしたい）、又は、現在送信されているシーン上のオブジェクト、又は以前に送信されたオブジェクト若しくは広告となる場合がある。
【００１５】
映像コンテンツの送信の間の一定時間において（図３のボックス「主コンテンツ＆広告コンテンツ（Main & Ad Cnt）」を参照）、主装置ＭＤｅｖのユーザは、別の人ＳＤｅｖに対して広告をプッシュすることを決定する。その後、プロセスを起動するためにそのリモートコントロール上をクリックする。そして、主受信装置は、直ちに反応しプロセスを継続するためにメニューを提案することができるし（図３のボックス「広告トピックを選択する（Select Ad Tp）を参照）、又は、プロセスを後でリコールして開始するためにユーザの動作を記録することができる。
【００１６】
プロセスは、いくつかのメニューを備え、第１のものは、広告の選択である。メニューは、本発明の概念を変えずに、異なる順番とすることができる。
【００１７】
そして、広告トピックの選択及び広告識別子の検索を実現する種々の方式が記載されることになる。
【００１８】
実施態様の第１のモードによれば、ユーザの第１の動作が開始された時に主装置に対して送信された現在表示中の広告がプッシュされるように、提案される。これは図２において矢印Ｔ１によって示される。この場合、広告ＡＤ６が現在の広告である。送信される音声／映像コンテンツ、及び特に広告は、現在送信されている映像コンテンツを記載するメタデータを含む。メタデータは、管理センタが対応する広告コンテンツを検索することを可能にする少なくとも広告識別子を備える広告記録を備え、更に、広告の簡単な記述（広告記述子）を備えることもでき得る。広告記録内に広告記述子が存在する場合には、主装置の画面上に記述が表示され、ユーザは、それを２次装置に共有するためのこの広告トピックの選択を確認することができる。メタデータから抽出された広告識別子は、その後、プッシュされる広告コンテンツを識別するために用いられることになる（図３のボックス「広告識別子を選択する（Select Ad ID）」を参照）。
【００１９】
このモードの変形によれば、メニューは、１つの広告記述だけでなく以前に送信されたｎ個の広告のリストも表示することができる。図２は、メインユーザの動作よりも以前の６つの広告の送信を図示する。ユーザは、その後、例えば６つの広告の中から、２次装置に対してプッシュされる１つの広告を選択することができる。そのために、実現の１つのモードによれば、現在送信されているメタデータは、最近のｎ個の広告のリストを備える。別の実施形態によれば、各広告記録は、現在の広告の広告識別子及び広告記述子を備える。従って、主装置は、バッファ内に広告記録、例えば、最近の６個の広告記録を格納することができ、このバッファは、最近の１０個の広告のリストを構築するために用いられることになる。図２において、広告が主装置によって検出される度に、広告記録が抽出される。従って、主装置は、広告の第１の組の間のＡＤ１〜ＡＤ３の広告記録と、第２の組の間のＡＤ４〜ＡＤ６の広告記録を格納することになる。矢印Ｔ２によって示されるように、ユーザが主コンテンツの送信の間にプロセスを開始する場合には、広告記述子を以前に格納したリストが表示されることになる。
【００２０】
実施態様の第２のモードによれば、メタデータは、送信される広告に関する拡張情報を含む。拡張情報は、同じ製造業者又は同じタイプの製品の広告に関する。有名なスポーツ用品提供者に対して、現在の広告は、ランニングシューズを表すことができる。但し、メタデータは、同じ製造業者に対して、プッシュすることができる広告の製品の一群をリストアップすることができる。選択メニューは、以下のように提案することができる。
・ランニングシューズ  男性    −  衣類
・ランニングシューズ  女性    −  アクセサリ
・ランニングシューズ  子供
【００２１】
各々のリストアップされたアイテムに対して、広告識別子が取り付けられる。ユーザが興味のある１つを選択すると、広告識別子が抽出される。
【００２２】
実施態様の第３のモードによれば、広告の識別は、送信される映像コンテンツ及び時刻の識別によって行なわれる。送信される映像コンテンツは、チャンネル識別子によって、又はメタデータから、識別されることができる。このチャンネル識別子は、現在の調整された帯域から利用可能なすべてのストリームの記述を備えるＰＡＴ（プログラムアプリケーションテーブル）内に含まれる。第１の例は、チャンネル０ｘ００１７、時刻１７：３５：２３となるだろう。このデータセットは、広告識別子になる。映像コンテンツのメタデータが例えばビデオオンデマンドに用いられる場合には、コンテンツ（又はコンテンツの識別（ＩＤ））の記述は、ユーザがプロセスを開始した位置を識別するためにインデックス（時刻、フレーム、又はパケット）と共に用いられることができる（例えば、広告識別子＝「猿の惑星（Planet of the apes）」及び１：３４：１２）。
【００２３】
実施態様の第４のモードによれば、主装置によって受信されるユーザのコマンドは、現在送信されている映像コンテンツを識別することを可能にするデータの格納を作動させる。これは、上記のようにチャンネル／時刻表示又は記述／インデックスの形式にし得る。これらの情報は、所定の時間に送信されたコンテンツを検索することを可能にするため、我々は、それを「コンテンツポインタ（content pointer）」と呼ぶことになる。別の可能性は、広告トピックを識別するために現在送信されているコンテンツの一部分を格納することである。現在送信されているコンテンツの一部分は、ユーザのコマンドの時の少なくとも１つのイメージを備え、このイメージは、ユーザが２次装置に対してプッシュする意思がある少なくとも１つの広告トピックを含む。このイメージは、分析のために管理センタに対して送信されることができる。別の可能性は、スナップショット（即ち、ユーザが興味をもつことになるイメージの１つのオブジェクト）を決定するために主装置上のイメージを前処理することである。主装置のユーザは、１つのオブジェクトのみを管理するために、カーソルによってイメージの１つのオブジェクトを強調表示するか、又は、イメージをトリミングすることができる。スナップショットは、主装置によって、広告トピックを表現するトリミング機能に続いて生成され、管理センタに対して送信されることができる。
【００２４】
その後、コンテンツポインタ、イメージ、又はスナップショットは、１つ以上の広告識別子を決定するために管理センタに対して送信される。管理センタは、コンテンツポインタによって、そのデータベースからの記述子及び識別子を含む１つ又は複数の広告記録を検索することができ、主装置に対してそれを送信することができる。代替え的に、コンテンツポインタは、ユーザのコマンドの時の単数若しくは複数のイメージを管理センタのバッファ内で検索するために用いられることができ、このイメージの分析から、広告記録又は広告記録のリストを決定することができる。イメージ又はスナップショットによって、管理センタは、イメージ又はスナップショットの分析を実行し、その後主装置に対して送信される広告記録又は広告記録のリストを決定することができる。分析は、３つのステップで行なわれ、第１のステップは、オブジェクト認識アプリケーションによるオブジェクトの検出である。興味のあるオブジェクトを決定するために、同じプロセスがスナップショット上で行なわれる。ひとたびイメージ又はスナップショットがこのアプリケーションを通過すれば、オブジェクト又はオブジェクトのリストが作成される。第２のステップは、広告コンテンツが検索されたオブジェクトの１つと一致するか否かを捜し求めるためにデータベースにアクセスすることである。データベースは、各広告コンテンツにより関連づけられた複数の広告コンテンツ及びキーワードを含む。キーワードは、オブジェクト（例えば、自動車、トラック、又は腕時計）及び／又は位置（例えば、コーヒーショップ、スーパーマーケット、ガレージ）とすることができる。管理センタは、検出されたオブジェクトと一致するキーワードを検出する。第３のステップは、分析されたイメージ又はスナップショットにリンクされる、最高確率を有する可能性のある広告記録のリストを確立することである。
【００２５】
イメージ又はスナップショットが１つ以上のオブジェクトを含むことができるので、分析機能は、１つ以上の広告（即ち広告記録）を送り返すことができる。その結果、分析及びサーチ機能は、広告記録又は広告記録のリストを作成することになる。
【００２６】
別の実施形態による、広告記録のこのリストを確立するための更に簡素な方法は、主映像の流れと共にインデックス付け広告記録のリストを予め又はリアルタイムで生成するために主コンテンツ（映像）を前処理することである。オブジェクト認識アプリケーションは、オブジェクトが予め記録された広告の１つと一致することを検出するために主コンテンツ上で実行される。目的は、既に格納された広告コンテンツに関するオブジェクトをすべて検出し、広告コンテンツがプッシュされることができないオブジェクトを廃棄することである。例として、管理センタは、靴の広告を含む。毎回主映像のイメージの分析は、靴を検出し、フラグは主映像のインデックスとの関連で記録され、フラグは、靴の広告に対応する広告記録に対するポインタを備える。
【００２７】
ひとたび管理センタが主コンテンツ内の特定の時刻を示すリクエストを受信すると、管理センタは、その時刻（又はその時刻の頃）に記録されたフラグのリストを検索する。このリストは、ポインタが指すイメージに関する広告記録のリストにデータを投入するために用いられ、主装置に対して返送される。
【００２８】
広告記録は、ユニーク値と、管理センタ内に適切な広告コンテンツを配置することを可能にする識別子と、簡単な記述とを含むことができる。ユーザによる選択のために主装置画面上に表示されることになるのは簡単な記述である。
【００２９】
ひとたび主装置が広告識別子を取得しているか、又は広告識別子のリストの中の１つを選択していると、これらのステップは、ボックス「広告識別子を選択する（Select AD ID）」によって示されており、次のステップは、送信先アドレスの選択である（図３のボックス「送信先を選択する（Select Destination）」を参照）。
【００３０】
好ましい実施形態によれば、主装置は、名称やアドレスを伴う連絡先のリストを含む。アドレスは、電子メール、ツイッター（登録商標）若しくはフェイスブック（登録商標）のＩＤ、又はＩＰアドレスなどの様々なフィールドを備えることができる。
【００３１】
ひとたび連絡先の選択がユーザによって行なわれると、通知は、主装置によって準備されることができ、この通知は、広告識別子と、（上記の形式の１つにおける）送信先アドレスと、図３のボックス「自身の識別を追加する（Add Own ID）」によって示されるようなユーザの識別とを備える。ユーザの識別は、主装置内に格納され、電子メールアドレス、ＩＰアドレス、又は送信センタに関係する識別、ツイッター(登録商標）（著作権所有）の識別又はフェイスブック（著作権所有）の識別の形式とすることができる。
【００３２】
オプションのステップは、２次ユーザに対して通信されるメインユーザによってフリーテキストを追加することの可能性である。これは、事前にプログラミングされたテキストのリストを使用する形式とすることもでき得るし、又はメインユーザによって直接タイプすることもでき得る。
【００３３】
通知はここで準備完了しており、管理センタに対して送信されることができる（図３のボックス「通知を送信する（Send Notif）」を参照。）。
【００３４】
管理センタが通知を受信すると、ユーザの識別に関連する、データベース内に格納された記録がチェックされる。このチェックは、オプションであり、他のものに対して広告を送信することを可能にするユーザの識別によって識別されたユーザであるか否かを決定することを目的とする。
【００３５】
第２の動作は、送信先アドレスを定義することである（図３のボックス「送信先アドレスを選択する（Select Destination Adr）」を参照）。１つの実施形態によれば、通知内に含まれる送信先アドレスは、２次装置の物理アドレスを決定するために直接的に用いられることができる。但し、他の場合においては、受信される送信先アドレスから２次装置の物理アドレスを検索しなければならない。管理センタは、物理的な送信先の装置毎に論理名（例えば電子メールなど）を有するデータベースを備えることができる。管理センタは、受信された送信先アドレスに基づいて２次装置の物理アドレスを確立するためにアドレス変換を行う。
【００３６】
物理的な送信先アドレスを１つ以上の送信先ユーザにリンクすることができる、ということに留意されるべきである。同一の２次装置を、複数のユーザが共有することができる。
【００３７】
同様にオプションである次のステップは、２次装置が広告の送信を許可されているかの検証である。このチェックのために、送信先アドレスに関連するデータベース記録が検索され確認される。プッシュされた広告の受信を２次装置が許可されていない場合には、プロセスは停止する。
【００３８】
通知内に広告識別子を含むことで、管理センタは、２次装置に対してどの広告コンテンツが送信されるべきであるのかを決定することができる（図３のボックス「広告コンテンツを選択する（Select Ad content）」を参照）。プッシュ動作は、ここで開始することができる。この動作は、２次装置と直接的に接続される管理の例とともに記載されることになるが、但し、送信もまた、送信センタによって同じ方式で行うことができる。
【００３９】
管理センタのデータベース上で、主装置のユーザに対応する記録及び２次装置のユーザに対応する記録は、様々な目的のために、更新される（図３のボックス「主装置のデータを記録する（Record MDev Data）」を参照）。目的の１つは、広告キャンペーンに関係するロイヤリティポイントをこのメインユーザによるものであると認めることである。第２の目的は、特に２次ユーザに関して、ユーザのプロフィールを構築することである。
【００４０】
広告コンテンツは、管理センタによって決定されるような送信先アドレスにおいて、２次装置ＳＤｅｖに対して単純にプッシュされることができる。この場合、２次装置は、広告コンテンツがその装置に対してプッシュされたという通知を受信し、それを表示するためにユーザの認証をリクエストするためにポップアップメニューを表示することができる。ポップアップメニューは、また、広告コンテンツが作り出されるユーザの名を表示することができる。２次装置のユーザは、広告コンテンツをすぐに再生することができるし、又は即時の視聴を拒否することができる。この場合、広告コンテンツは、格納されて、２次ユーザによって後々まで検索されることができる。
【００４１】
別の実施形態によれば、管理センタは、２次装置がオンラインであるか否かをチェックし、否定的な場合にはキュー内に広告コンテンツを入れることができる。このチェックは、肯定応答をリクエストする短い通知の送信によって行なわれる。他の自動的な実施形態は、２次装置がコンテンツのためのアクセスキー又はコンテンツに関するインフォメーションデータなどの他のデータを取得するために管理センタにアクセスする時を検出することなどに用いられ得る。肯定応答が受信されれば、２次装置はオンラインである。管理センタは、２次装置の応答を定期的にチェックし、ひとたび検出されれば、広告コンテンツをプッシュすることができる。
【００４２】
２次ユーザが広告コンテンツの受信表示を承認する（図３のボックス「広告コンテンツを受理する（Accept AD Content）」及び「広告コンテンツを表示する（Display AD content）」を参照）場合には、肯定応答は、管理センタに対して送信されることができる（図３のボックス「広告の受信を確認する（Acknowl. AD）」を参照」。管理センタに対して肯定応答を送信する前に、２次ユーザは、フリーテキストメッセージを追加する可能性がある。フリーテキスト（もしあれば）を含むこの肯定応答は、管理センタに対して送信され、メインユーザの記録は、例えばロイヤリティポイントの追加によって更新される（図３のｂａｏｘ「主装置データの更新（Update MDev data）」を参照）。主装置のユーザがその選択の正確さに関するフィードバックを有することができるように、フリーテキストメッセージは、主装置に戻されることができる。
【００４３】
広告コンテンツは、２次装置にフルスクリーンモードで、又は画面の一部にウィンドウ若しくはバナーで表示されることができる。２次ユーザは、好き／嫌いの間を選択することによって、又は０〜５などの間の細かい精度を有することによって、広告コンテンツの妥当性を評価する可能性を有し、０は「嫌い」に等しく、５は「非常に興味がある」に等しい。
【００４４】
メインユーザに対して功績を認められたロイヤリティポイントは、２次ユーザのフィードバックに応じて調整することができる。
【００４５】
ひとたび好ましい実施形態による２次装置の画面上に表示されれば、広告コンテンツは削除される。
【００４６】
別の実施形態によれば、及び既述の動作の補足において、主装置のユーザは、管理センタに対して送信される通知内にフリーテキストを追加することができる。このフリーテキストは、広告コンテンツの受理を勧誘する２次装置によって受信される通知内に表示されることになる。２次装置のユーザは、その後、広告を受理する前に送信者によって作成された送信者及びコメントに関する情報を可視化する可能性を有することになる。
【図１】
2018501691.tif 000003
【図２】
2018501691.tif 000004
【図３】
2018501691.tif 000005
【国際調査報告】
2018501691.tif 000006
2018501691.tif 000007
2018501691.tif 000008